(57)【要約】【課題】上層の魚類が食い付くのを避けると共に、イカのタナまで仕掛けを正しく落としてから、イカがイカヅノを抱けるようにすることを最も主要な目的とする。【解決手段】カンナ針（３ａ）を有するイカヅノ（３）を用いたイカ釣り仕掛けにおいて、カンナ針（３ａ）を覆うキャップ（１）と、キャップ（１）とイカヅノ（３）またはスッテとを結合する結合部材（２ａ、２ｂ、１ｄ、１ｆ、１ｈおよび３ｃ、１ｉおよび３ｄ）とを具備し、キャップ（１）の形状が、海中での急激な移動に際して、イカヅノ（３）が海水から受ける抵抗よりもキャップ（１）が海水から受ける抵抗が大きくなるように設定され、イカヅノ（３）を海中で急激に移動させることにより、キャップ（１）とイカヅノ（３）との結合を解除させることを特徴とする。【選択図】図１
2010233511.tif 000002
【特許請求の範囲】
【請求項１】
カンナ針を有するイカヅノを用いたイカ釣り仕掛けにおいて、
前記カンナ針を覆うキャップと、
該キャップと前記イカヅノとを結合する結合部材とを具備し、
前記キャップの形状が、海中での急激な移動に際して、前記イカヅノが海水から受ける抵抗よりも前記キャップが海水から受ける抵抗が大きくなるように設定され、前記イカヅノを海中で急激に移動させることにより、前記キャップと前記イカヅノとの結合を解除させることを特徴とするイカ釣り仕掛け。
【請求項２】
前記結合部材による結合が、圧接、嵌着、磁気付着、または嵌合のいずれか１または２以上の組み合わせであることを特徴とする請求項１に記載のイカ釣り仕掛け。
【請求項３】
幹糸に沿って前記キャップを上下方向に移動させるガイド部を更に具備することを特徴とする請求項１に記載のイカ釣り仕掛け。
【請求項４】
前記ガイド部が、幹糸と着脱自在な構造であることを特徴とする請求項３に記載のイカ釣り仕掛け。
【請求項５】
前記イカヅノが小型のスッテであることを特徴とする請求項１乃至請求項４のいずれか１項に記載のイカ釣り仕掛け。
【発明の詳細な説明】
【技術分野】
【０００１】
本発明は、不要な魚類の捕獲を避け、捕獲目的であるイカの釣果を上げるようにしたイカ釣り仕掛けに関するものである。
【背景技術】
【０００２】
イカが群棲するタナは水深５０〜２００ｍてあって海底から０〜１０ｍ程度の層であり、これよりも上層はサバ等の魚類のタナとなっていることがある。このような場合に、イカ釣り仕掛けを投入すると、イカのタナに仕掛けが到達する以前に魚類が仕掛けに食い付いてしまい、捕獲目的であるイカの釣果に悪影響を及ぼすことがあった。
【０００３】
それを避けるために従来より、イカヅノのカンナ針から突出する部材を設けて、魚類がカンナ針に掛からないようにしたものが知られている。
【特許文献１】特開２００８−６７６１５号公報
【発明の開示】
【発明が解決しようとする課題】
【０００４】
しかしながら従来公知のカンナ針から突出する部材を設ける仕掛けでは、魚類が食い付くのを避ける効果を上げようとするとイカの乗りも悪くなり、逆にイカの乗りを良くしようとすると魚類の食い付きを避ける効果を上げることができない構造上の欠点があった。
【０００５】
本発明は、上層の魚類が食い付くのを避けると共に、イカのタナまで仕掛けを正しく落としてから、イカがイカヅノを抱けるようにすることを最も主要な目的とする。
【課題を解決するための手段】
【０００６】
この目的を達成するために、請求項１の発明によるイカ釣り仕掛けは、カンナ針（３ａ）を有するイカヅノ（３）を用いたイカ釣り仕掛けにおいて、カンナ針（３ａ）を覆うキャップ（１）と、キャップ（１）とイカヅノ（３）またはスッテとを結合する結合部材（２ａ、２ｂ、１ｄ、１ｆ、１ｈおよび３ｃ、１ｉおよび３ｄ）とを具備し、キャップ（１）の形状が、海中での急激な移動に際して、イカヅノ（３）が海水から受ける抵抗よりもキャップ（１）が海水から受ける抵抗が大きくなるように設定され、イカヅノ（３）を海中で急激に移動させることにより、キャップ（１）とイカヅノ（３）との結合を解除させることを特徴とする。
請求項２の発明によるイカ釣り仕掛けは、請求項１において、結合部材（２ａ、２ｂ、１ｄ、１ｆ、１ｈおよび３ｃ、１ｉおよび３ｄ）による結合が、圧接、嵌着、磁気付着、または嵌合のいずれか１または２以上の組み合わせであることを特徴とする。
請求項３の発明によるイカ釣り仕掛けは、請求項１において、幹糸（４）に沿ってキャップ（１）を上下方向に移動させるガイド部（１ａ）を更に具備することを特徴とする。
請求項４の発明によるイカ釣り仕掛けは、請求項３において、ガイド部（１ａ）が、幹糸（４）と着脱自在な構造であることを特徴とする。
請求項５の発明によるイカ釣り仕掛けは、請求項１乃至請求項４のいずれか１項において、イカヅノ（３）が小型のスッテであることを特徴とする。
【発明の効果】
【０００７】
本発明のイカ釣り仕掛けによれば、仕掛けがイカの泳層に到達してから、イカヅノ（３）を急激に上方に引き上げると、キャップ（１）は海水の抵抗を受けて急激に移動することができないので、結合部材（２ａ、２ｂ、１ｄ、１ｆ、１ｈおよび３ｃ、１ｉおよび３ｄ）による結合が解除され、イカヅノ（３）は自由に移動する状態となる。即ち、上層ではキャップ（１）がカンナ針（３ａ）を覆っているので魚類が食い付くことができず、仕掛けがイカの泳層に到達して結合部材（２ａ、２ｂ、１ｄ、１ｆ、１ｈおよび３ｃ、１ｉおよび３ｄ）による結合が解除されてからは、イカは制限無くカンナ針（３ａ）に抱き付くことができる。これにより、上層の魚類が食い付くのを避けると共に、捕獲目的であるイカの乗りを良くすることが可能となる。
【発明を実施するための最良の形態】
【０００８】
以下、本発明の実施の形態を図面に基づいて説明する。
【実施例１】
【０００９】
図１は、本発明によるイカ釣り仕掛けの第１実施例を示す部分断面斜視図および上面図である。図１において、キャップ１は、透明、半透明または白濁プラスチック製であり、弾丸形状を成している。このキャップ１の底部には、円筒円錐台状の保持部２ａの外周面をキャップ１の内周面に接着することで、保持部２ａがキャップ１に固定されている。保持部２ａは低反発素材で作られており、中心部に形成される円錐台状の穴にカンナ針３ａが上方から押し込まれると、カンナ針３ａと保持部２ａが圧接する。
【００１０】
カンナ針３ａは円柱状のイカヅノ３の下部にテグス３ｂにより結束固定され、イカヅノ３はハリス４ａおよびビーズ４ｂを介して幹糸４に接続されている（図２参照）。カンナ針３ａが上方から押し込まれてカンナ針３ａと保持部２ａが圧接すると、キャップ１とイカヅノ３とが結合した状態となり、この状態でイカヅノ３を徐々に上方に持ち上げるとキャップ１も共に上方に移動する。
【００１１】
キャップ１には、円筒状のガイド部１ａと、ガイド部１ａを支持する支持部１ｂとが、キャップ１と一体に成型されている。ガイド部１ａには、後述するように幹糸４が挿通される。また、キャップ１の底部には貫通孔１ｃが形成されている。この貫通孔１ｃは、後述するように、中を海水が流れるようにしてキャップ１が上下移動する際に海水の抵抗を受けにくくなるように作用する。
【００１２】
図１（ｂ）に上面図で示すように、保持部２ａは３箇所の切欠部２ｃを有する。切欠部２ｃは、カンナ針３ａと保持部２ａが接する圧力を調節することと、海水を流れ易くしてキャップ１が海水の抵抗を受けにくくするように作用する。必要がない場合は、切欠部２ｃを無くして、保持部２ａの外周面の全面がキャップ１の内周面に接するようにしてもよい。
【００１３】
なお、キャップ１の形状が弾丸形状であるものとして説明したが、海中での移動に際してイカヅノ３が海水から受ける抵抗よりもキャップ１が海水から受ける抵抗が大きくなるように設定できれば、半球状や円錐台状等の他の形状であってもよい。また、保持部２ａの上方に切り込みを入れて、保持部２ａとカンナ針３ａとの接触面積を高め、両者の結合度合いが高くなるようにしてもよい。また、貫通孔１ｃを形成することは本実施例では必須の構成要件ではなく、塞ぐようにしてもよい。また、保持部２ａは円錐台状として説明したが、円に限らず六角形や八角形等の多角形の錘台状となるようにしてもよい。
【００１４】
図２は、本発明によるイカ釣り仕掛けの動作を説明する斜視図である。イカ釣り仕掛けは、図２（ａ）に示すように、カンナ針３ａが上方から押し込まれてカンナ針３ａと保持部２ａが圧接する結合状態で海中に投下される。オモリ５の重力により下方向に落下して行ってサバ等の魚類のタナに達したときに、カンナ針３ａはキャップ１に覆われているので、サバ等はカンナ針３ａに食い付くことはできない。更に下方向に落下して行ってイカのタナに達したときに、釣り人が幹糸４をシャクリ上げると、ハリス４ａを介してイカヅノ３が急激に上方に引き上げられる。このとき、キャップ１は海水の大きな抵抗を受けて急激に上方に移動することができないので、キャップ１とカンナ針３ａ（イカヅノ３）との結合が解除され、図２（ｂ）に示すように、イカヅノ３は自由に移動する状態となる。
【００１５】
キャップ１とカンナ針３ａ（イカヅノ３）との結合が解除されたときに、図２（ｂ）に示すように、キャップ１はガイド部１ａに挿通された幹糸４に沿って下方向に移動する。このとき、貫通孔１ｃや切欠部２ｃがあれば、海水を流れ易くしてキャップ１が海水の抵抗を受けにくくすることで、キャップ１が上下移動する速度を高くすることができる。キャップ１は、ガイド部１ａが下側糸コブ４ｄに接するまで下方向に移動する。また、潮流等の影響でキャップ１が上方向に移動した場合であってもガイド部１ａが上側糸コブ４ｃに接する位置までに制限される。これにより、キャップ１が上下方向（矢印Ａ方向）に移動した場合であっても、イカがカンナ針３ａに抱き付くのをキャップ１が邪魔することがないようにしている。
【００１６】
このように、図２（ｂ）に示すイカヅノ３が自由に移動する状態であれば、従来のイカヅノ３の使用状態と同じになり、イカがカンナ針３ａに抱き付くのをキャップ１が制限することはない。
【実施例２】
【００１７】
図３は、本発明によるイカ釣り仕掛けの第２実施例を示す部分断面斜視図および上面図である。図中、図１および図２と同じ構成部分には同じ参照番号を付して重複した説明を省略する。
【００１８】
第２実施例では、図３に示すように、保持部２ｂは円筒状を成し、ビニール、軟質ゴム、またはエラストマー(Elastomer)を素材とする。保持部２ｂは、接着または溶着によりキャップ１の底部に固定される。保持部２ｂには、イカヅノ３のカンナ針３ａが上方から嵌着され、カンナ針３ａの先端が保持部２ｂの上端から数ミリ程度露出した状態で保持される。これによりキャップ１とイカヅノ３とが結合した状態となり、この状態でイカヅノ３を徐々に上方に持ち上げるとキャップ１も共に上方に移動する。イカヅノ３が急激に上方に持ち上げられたときには、キャップ１は海水の抵抗を受けて急激に上方には移動できないので、保持部２ｂとカンナ針３ａとの結合が解除され、キャップ１とイカヅノ３の結合を解除した状態となる。その他の動作は上述した第１実施例と同様であるので、重複した説明を省略する
【００１９】
なお、保持部２ｂの上方に切り込みを入れて、保持部２ｂとカンナ針３ａとの接触面積を高め、両者の結合度合いが高くなるようにしてもよい。また、キャップ１の底部は塞がれているが第１実施例と同様の貫通孔１ｃを形成するようにしてもよい。
【実施例３】
【００２０】
図４は、本発明によるイカ釣り仕掛けの第３実施例を示す部分断面斜視図および上面図である。図中、図１および図２と同じ構成部分には同じ参照番号を付して重複した説明を省略する。
【００２１】
第３実施例では、保持部２ａまたは保持部２ｂは使用されず、代わりにキャップ１の内周に磁石１ｄが接着されている。即ち、カンナ針３ａは鉄製（磁性体）なので、磁石１ｄにカンナ針３ａを付着させることでキャップ１とイカヅノ３とが結合した状態となる。この状態でイカヅノ３を徐々に上方に持ち上げるとキャップ１も共に上方に移動する。イカヅノ３が急激に上方に持ち上げられたときには、キャップ１は海水の抵抗を受けて急激に上方には移動できないので、磁石１ｄとカンナ針３ａとの付着が解除され、キャップ１とイカヅノ３の結合を解除した状態となる。その他の動作は上述した第１実施例と同様であるので、重複した説明を省略する
【００２２】
なお、磁石１ｄの底部には貫通孔１ｃと対応する位置に貫通孔１ｅが形成されている。図４では、磁石１ｄはキャップ１から露出した状態であるものとして説明したが、塩害を考慮してキャップ１に内装（埋め込み）するようにしてもよい。また、図４では磁石１ｄはキャップ１と同じ高さとしているが、背を低くしてキャップ１の底部に部分的に設けるようにしてもよい。
【実施例４】
【００２３】
図５は、本発明によるイカ釣り仕掛けの第４実施例を示す部分断面斜視図および上面図である。図中、図１および図２と同じ構成部分には同じ参照番号を付して重複した説明を省略する。
【００２４】
第４実施例では、第３実施例における磁石１ｄの代わりに、塩化ビニールや硬質プラスチックを素材とするヒレ１ｆを用いるようにしている。ヒレ１ｆはカンナ針３ａが刺さらない程度の硬質素材が用いられると共に、切れ目１ｇを入れることで柔軟性が得られるようにしている。図５に示すように、カンナ針３ａをヒレ１ｆの下側に納めることでキャップ１とイカヅノ３とが結合した状態となる。この状態でイカヅノ３を徐々に上方に持ち上げるとキャップ１も共に上方に移動する。イカヅノ３が急激に上方に持ち上げられると、カンナ針３ａが中心部から外側にヒレ１ｆを押し上げて、キャップ１とイカヅノ３の結合を解除した状態となる。その他の動作は上述した第１実施例と同様であるので、重複した説明を省略する。
【実施例５】
【００２５】
図６は、本発明によるイカ釣り仕掛けの第５実施例を示す部分断面斜視図および上面図である。図中、図１および図２と同じ構成部分には同じ参照番号を付して重複した説明を省略する。
【００２６】
第５実施例では、図６に示すように、キャップ１の底部に突起１ｈが設けられ、イカヅノ３の下部に嵌合孔３ｃが形成されている。突起１ｈが嵌合孔３ｃに嵌合することでキャップ１とイカヅノ３とが結合した状態となる。この状態でイカヅノ３を徐々に上方に持ち上げるとキャップ１も共に上方に移動する。イカヅノ３が急激に上方に持ち上げられたときに、キャップ１は海水の抵抗を受けて急激に上方には移動できないので、突起１ｈと嵌合孔３ｃの嵌合が解除され、キャップ１とイカヅノ３の結合を解除した状態となる。その他の動作は上述した第１実施例と同様であるので、重複した説明を省略する。なお、図６（ａ）に示すように、突起１ｈにも貫通孔１ｃが貫通するようにしてある。
【実施例６】
【００２７】
図７は、本発明によるイカ釣り仕掛けの第６実施例を示す部分断面斜視図および上面図である。図中、図１および図２と同じ構成部分には同じ参照番号を付して重複した説明を省略する。
【００２８】
第６実施例では、図７に示すように、キャップ１の底部に断面が球状の嵌合孔１ｉが設けられ、イカヅノ３の下部に球状の突起３ｄが形成されている。突起３ｄが嵌合孔１ｉに嵌合することでキャップ１とイカヅノ３とが結合した状態となる。この状態でイカヅノ３を徐々に上方に持ち上げるとキャップ１も共に上方に移動する。イカヅノ３が急激に上方に持ち上げられたときに、キャップ１は海水の抵抗を受けて急激に上方には移動できないので、突起３ｄと嵌合孔１ｉの嵌合が解除され、キャップ１とイカヅノ３の結合を解除した状態となる。その他の動作は上述した第１実施例と同様であるので、重複した説明を省略する。
【実施例７】
【００２９】
図８は、本発明によるイカ釣り仕掛けの第７実施例を示す部分断面斜視図および上面図である。図中、図１、図２および図７と同じ構成部分には同じ参照番号を付して重複した説明を省略する。
【００３０】
第７実施例では、第６実施例におけるガイド部１ａと支持部１ｂを省略するようにしている。そのため、ガイド部１ａを挿通していた幹糸４は嵌合孔１ｉを挿通するようにしている。キャップ１は、嵌合孔１ｉが下側糸コブ４ｄ（図２参照）に接するまで下方向に移動する。また、潮流等の影響でキャップ１が上方向に移動した場合には嵌合孔１ｉが上側糸コブ４ｃ（図２参照）に接する位置までに制限される。これにより、キャップ１が上下方向（矢印Ａ方向）に移動した場合であっても、イカがカンナ針３ａに抱き付くのをキャップ１が邪魔することがないようにしている。なお、幹糸４の径が０．５ｍｍ程度なので、突起３ｄと嵌合孔１ｉとの嵌合に障害が生ずることはない。
【００３１】
以上、本願発明を実施例に基づいて説明したが、本願発明の技術的思想によれば種々の変形が可能である。例えば、上記の実施例ではイカヅノ３がプラスチックヅノであるものとして説明したが小型スッテ類であってもよい。また、上記の実施例では、円筒等の横断面が円形であるものとして説明したが、六角形や八角形等の多角形であってもよい。
【００３２】
また、上記の実施例では、キャップ１とイカヅノ３との結合が、圧接、嵌着、磁気付着、または嵌合等のいずれか一種であるものとして説明したが、圧接と磁気付着などの二種以上の組み合わせであってもよい。結合力が不足する場合や潮流の強さ等の状況に応じて釣り人が結合力を選択したい場合などに有効である。また、キャップ１の使用が禁止される場合にキャップ１を外すことができるように、ガイド部１ａは幹糸４と着脱自在な構造にしてもよい。更に、キャップ１が海中に落下してもよければ、幹糸４に沿ってキャップ１を上下方向に案内するガイド部１ａを省略することができる。
【００３３】
以下は、本願発明の実施態様の効果に関する。
1）落下途中でサバが仕掛けを止めイカの泳層まで届かないという窮地から解放される。
2）個人および隣客とのオマツリ発生による仕掛けおよび実釣時間のロスが減少する（魚群が来ると打つ手ナシで逃げようのなかった従来品との決定的な違い）。
3）ツノとキャップの着脱がワンタッチで簡単であり、寸法間隔調整等の目算計測作業は一切不要となる。
4）サバの群れが消えても仕掛け交換不要であり、引続きブランコ仕掛けとして継続使用できる。魚群の有無に応じてキャップの着脱を臨機応変に修正できる。
5）底ダナ一本にこだわらず船長指示ダナで自由に止め復元できるので、上下に泳層の広いスルメイカやムギイカ中層ピンポイント狙いも可能である。
6）１１センチヅノ以外にも１４センチまたは１８センチヅノおよび小型スッテ類も装着可能である。
7）カンナ針３ａの針先をキャップ１の中に完全に隠すため、風や波の高い日でも船上で手前マツリしにくい。
8）サバ回避に向け技術難易度が高い直結式仕掛けに比べて初心者でも扱いがしやすく、イカを掛けてから取り込みまでバラシにくい。
9）タナ到着後竿をシャクリ上げることで即ブランコ仕掛けに復元されるため、ハリス４ａの遊びを活かしたツノ３の動きや誘いのバリエ−ションが縦横無尽かつ多彩である。
10）仕掛け回収後、ツノとキャップを再結合する際にカンナ針の状態を一本ずつ視認するので、針の異常角傾斜の修正やスミ、ゲソ等異物除去作業の漏れが起きにくい。
11）ガイド部１ａを幹糸４と着脱自在な構造にした場合には、キャップ１を幹糸４から丸ごとはずすことができるため、仕掛け同士絡まっても相対的に解きやすい。
【図面の簡単な説明】
【００３４】
【図１】本発明によるイカ釣り仕掛けを示す部分断面斜視図および上面図である。（実施例１）
【図２】本発明によるイカ釣り仕掛けの動作を示す斜視図である。（実施例１〜７）
【図３】本発明によるイカ釣り仕掛けを示す部分断面斜視図および上面図である。（実施例２）
【図４】本発明によるイカ釣り仕掛けを示す部分断面斜視図および上面図である。（実施例３）
【図５】本発明によるイカ釣り仕掛けを示す部分断面斜視図および上面図である。（実施例４）
【図６】本発明によるイカ釣り仕掛けを示す部分断面斜視図および上面図である。（実施例５）
【図７】本発明によるイカ釣り仕掛けを示す部分断面斜視図および上面図である。（実施例６）
【図８】本発明によるイカ釣り仕掛けを示す部分断面斜視図および上面図である。（実施例７）
【符号の説明】
【００３５】
１    キャップ
１ａ  ガイド部
１ｂ  支持部
１ｃ  貫通孔
１ｄ  磁石
１ｅ  貫通孔
１ｆ  ヒレ
１ｇ  切れ目
１ｈ  突起
１ｉ  嵌合孔
２ａ  保持部
２ｂ  保持部
３    イカヅノ
３ａ  カンナ針
３ｂ  テグス
３ｃ  嵌合孔
３ｄ  突起
４    幹糸
４ａ  ハリス
４ｂ  ビーズ
４ｃ  上側糸コブ
４ｄ  下側糸コブ
５    オモリ
【図１】
2010233511.tif 000003
【図２】
2010233511.tif 000004
【図３】
2010233511.tif 000005
【図４】
2010233511.tif 000006
【図５】
2010233511.tif 000007
【図６】
2010233511.tif 000008
【図７】
2010233511.tif 000009
【図８】
2010233511.tif 000010